(57)【特許請求の範囲】
【請求項１】
器具本体を収納したガス給湯装置の前面より着脱自在に装着した前カバーを備え、前記前カバーには底面側に切り起こしにより形成された複数の給気口を設けるとともに、切り起こし片を前記給気口の前部に略垂直に立設し雨よけ用平行板としたガス給湯装置。
【請求項２】
器具本体を収納したガス給湯装置の前面より着脱自在に装着した前カバーを備え、前記前カバーには底面側に複数の給気口を設けるとともに、前面下部にくさび形断面形状を持つ段押し部を形成し、前面下部端面と前記給気口との距離を拡大するようにしたガス給湯装置。
【請求項３】
器具本体を収納したガス給湯装置の前面より着脱自在に装着した前カバーを備え、前記前カバーには底面側に複数の給気口を設けるとともに、前記給気口と対応する前面の垂直方向に円弧断面形状を持つ段押し部を形成し、前記給気口への水滴落下を防止するようにしたガス給湯装置。
【発明の詳細な説明】
【０００１】
【発明の属する技術分野】
本発明は、台所や浴槽等にお湯を供給する瞬間式ガス給湯装置に関するものである。
【０００２】
【従来の技術】
従来のガス給湯装置の構成図と給気口断面形状を図１５及び図１６に示す。図において、ガスの燃焼に必要な空気８４、８５、８６は器具８１の前カバー８２側面及び底面に設けられた給気口８３、８７から行われていた。
【０００３】
【発明が解決しようとする課題】
しかしながら従来のガス給湯装置では、降雨により器具前カバーを流れ落ちる水滴が下部の給気口を塞ぎ燃焼用空気不足により不完全燃焼を生じる場合があるという課題を有していた。
【０００４】
【課題を解決するための手段】
そこで本発明は上記課題を解決するために、器具本体を収納したガス給湯装置の前面より着脱自在に装着した前カバーを備え、前記前カバーには底面側に切り起こしにより形成された複数の給気口を設けるとともに、切り起こし片を前記給気口の前部に略垂直に立設し雨よけ用平行板とするか、または、前記前カバーには底面側に複数の給気口を設けるとともに、前面下部にくさび形断面形状を持つ段押し部を形成し、前面下部端面と前記給気口との距離を拡大するか、または、前記前カバーには底面側に複数の給気口を設けるとともに、前記給気口と対応する前面の垂直方向に円弧断面形状を持つ段押し部を形成し、前記給気口への水滴落下を防止するようにしたものである。そして、降雨時に水滴の侵入による給気口の閉塞を防止している。
【０００５】
【発明の実施の形態】
請求項１記載の発明は、器具本体を収納したガス給湯装置の前面より着脱自在に装着した前カバーを備え、前記前カバーには底面側に切り起こしにより形成された複数の給気口を設けるとともに、切り起こし片を前記給気口の前部に略垂直に立設し雨よけ用平行板としたもので、前カバーを流れ落ちる水滴の水きりを行うように構成したものである。
【００１０】
請求項２に記載の発明は、器具本体を収納したガス給湯装置の前面より着脱自在に装着した前カバーを備え、前記前カバーには底面側に複数の給気口を設けるとともに、前面下部にくさび形断面形状を持つ段押し部を形成し、前面下部端面と前記給気口との距離を拡大するようにしたもので、前カバーを流れ落ちる水滴の水きりを行うように構成したものである。
【００１１】
請求項３に記載の発明は、器具本体を収納したガス給湯装置の前面より着脱自在に装着した前カバーを備え、前記前カバーには底面側に複数の給気口を設けるとともに、前記給気口と対応する前面の垂直方向に円弧断面形状を持つ段押し部を形成し、前記給気口への水滴落下を防止するようにしたもので、前カバーを流れ落ちる水滴の水きりを行うように構成したものである。
【００１２】
請求項８に記載の発明は、前カバー前面下部に前カバーと一体で屋根型の段押し形状を持つ段押し下部給気口より広く突出して設け、前カバーを流れ落ちる水滴の水きりを行うよう構成したものである。
【００１３】
【実施例】
以下、本発明の実施例について図面を用いて説明する。
【００１４】
（実施例１）
図１は本発明の実施例１の瞬間式ガス給湯設備の三面図である。また図２は図１のＡ−Ａ線の下部断面図である。
【００１５】
図１において１は瞬間式ガス給湯装置の本体であり、２はその前カバーである。この前カバー２はビス等により本体１から着脱可能になっている。また３、７は燃焼用空気の側面給気口及び下部給気口である。通水により器具本体の燃焼が開始されると燃焼用空気４、５、６が前述の給気口３、７を通って器具内に導かれ燃焼に使用される。
【００１６】
降雨により器具前カバー２の前面を流れ落ちる水滴は前カバー２一体型の平行板８に遮られ下部給気口７を閉塞することなく器具下に落下する。平行板８は前カバー２の給気口７から切り起こされており滑らかに水滴を落下させることができる。
【００１７】
（実施例２）
図３は本発明の実施例２の瞬間式ガス給湯設備の三面図である。また図４は図３のＢ−Ｂ線の下部断面図である。
【００１８】
図３において１１は瞬間式ガス給湯装置の本体であり、１２はその前カバーである。この前カバー１２はビス等により本体１１から着脱可能になっている。また１３、１７は燃焼用空気の側面給気口及び下部給気口である。通水により器具本体の燃焼が開始されると燃焼用空気１４、１５、１６が前述の両給気口１３、１７を通って器具内に導かれ燃焼に使用される。
【００１９】
降雨により器具前カバー１２の前面を流れ落ちる水滴は前カバー１２の給気口１７から突き出している別体型の平行板１８に遮られ下部給気口１７を閉塞することなく器具下に落下する。平行板１８を前カバーと別体にすることにより平行板１８の雨きり有効長さを、切り起し代ろに制限されずに十分大きくすることができる。
【００２０】
（実施例３）
図５は本発明の実施例３の瞬間式ガス給湯設備の三面図である。また図６は図５のＣ−Ｃ線の下部断面図である。
【００２１】
図５において２１は瞬間式ガス給湯装置の本体であり、２２はその前カバーである。この前カバー２２はビス等により本体２１から着脱可能になっている。また２３、２７は燃焼用空気の側面給気口及び下部給気口である。通水により器具本体の燃焼が開始されると燃焼用空気２４、２５、２６が前述の両給気口２３、２７を通って器具内に導かれ燃焼に使用される。
【００２２】
降雨により器具前カバー２２の前面を流れ落ちる水滴は前カバー２２一体型の平行板２８に遮られ下部給気口２７を閉塞することなく器具下に落下する。平行板２８は前カバー２２と一体であり、また下部給気口２７から十分な距離をとっているため滑らかに水滴を落下させることができる。
【００２３】
（実施例４）
図７は本発明の実施例４の瞬間式ガス給湯設備の三面図である。また図８は図７のＤ−Ｄ線の要部断面図である。
【００２４】
図７において３１は瞬間式ガス給湯装置の本体であり、３２はその前カバーである。この前カバー３２はビス等により本体３１から着脱可能になっている。また３３、３７は燃焼用空気の側面給気口及び下部給気口である。通水により器具本体の燃焼が開始されると燃焼用空気３４、３５、３６が前述の両給気口３３、３７を通って器具内に導かれ燃焼に使用される。
【００２５】
降雨により器具前カバー３２の前面を流れ落ちる水滴は前カバー３２に別体に取付けた平行板３８に遮られ下部給気口３７を閉塞することなく器具下に落下する。また、また下部給気口２７から十分な距離をとっているため水きり効果を大きくできるとともに、平行板３８を前カバー３２と別体にすることにより平行板３８の雨きり有効長さを切り起し代ろに制限されずに十分大きくすることができる。
【００２６】
（実施例５）
図９は本発明の実施例５の瞬間式ガス給湯設備の三面図である。また図１０図９のＥ−Ｅ線の要部断面図である。
【００２７】
図９において４１は瞬間式ガス給湯装置の本体であり、４２はその前カバーである。この前カバー４２はビス等により本体４１から着脱可能になっている。また４３、４７は燃焼用空気の側面給気口及び下部給気口である。通水により器具本体の燃焼が開始されると燃焼用空気４４、４５、４６が前述の給気口４３、４７を通って器具内に導かれ燃焼に使用される。
【００２８】
降雨により器具前カバー４２の前面を流れ落ちる水滴は前カバー４２の下部端面に取り付けられた垂直板４８に遮られ下部給気口４７を閉塞することなく器具下または垂直板にそって器具両端側へ落下する。
【００２９】
（実施例６）
図１１は本発明の実施例６の瞬間式ガス給湯設備の三面図である。また図１２は図１１のＦ−Ｆ線の要部断面図である。
【００３０】
図１１において５１は瞬間式ガス給湯装置の本体であり、５２はその前カバーである。この前カバー５２はビス等により本体５１から着脱可能になっている。また５３、５７は燃焼用空気の側面給気口及び下部給気口である。通水により器具本体の燃焼が開始されると燃焼用空気５４、５５、５６が前述の給気口５３、５７を通って器具内に導かれ燃焼に使用される。
【００３１】
図１２の断面図に示すように前カバー５２の下部端面は器具の全幅にわたってくさび型形状に段押しされている。降雨により器具前カバー５２の前面を流れ落ちる水滴は前カバー５２の下部端面に取り付けられたくさび型段押し５８により遮られ下部給気口５７を閉塞することなく器具下に落下する。
【００３２】
（実施例７）
図１３は本発明の実施例７の瞬間式ガス給湯設備の三面図である。
【００３３】
図１３において６１は瞬間式ガス給湯装置の本体であり、６２はその前カバーである。この前カバー６２はビス等により本体６１から着脱可能になっている。また６３、６７は燃焼用空気の側面給気口及び下部給気口である。通水により器具本体の燃焼が開始されると燃焼用空気６４、６５、６６が前述の給気口６３、６７を通って器具内に導かれ燃焼に使用される。
【００３４】
図１３に示すように前カバー６２の表面には前カバー６２に対し下部給気口６７に対応して垂直方向に円弧断面形状の段押し６８を形成する。降雨により器具前カバー６２の段押し６８に当った水滴は段押し６８の円弧断面形状の影響により急激に表面張力を失い前カバー６２の平面部に集まり器具下に落下する。前述したように段押し６８は下部給気部６７に対応して設けられているため水滴による下部給気口６７の閉塞を防止することができる。
【００３５】
（実施例８）
図１４は本発明の実施例８の瞬間式ガス給湯設備の三面図である。
【００３６】
図１４において７１は瞬間式ガス給湯装置の本体であり、７２はその前カバーである。この前カバー７２はビス等により本体７１から着脱可能になっている。また７３、７７は燃焼用空気の側面給気口及び下部給気口である。通水により器具本体の燃焼が開始されると燃焼用空気７４、７５、７６が前述の給気口７３、７７を通って器具内に導かれ燃焼に使用される。
【００３７】
図１４に示すように前カバー７２の下部には三角形状の段押し７８を設ける。降雨により器具前カバー７２の段押し７８に当った水滴は段押し７８の三角形状の２辺に沿って器具下に落下する。この効果により水滴による下部給気口７７の閉塞を防止することができる。
【００３８】
【発明の効果】
以上の説明から明らかなように、本発明のガス給湯装置によって降雨によって給気口が閉塞されるようなことがなくなり、したがって不完全燃焼になるようなことは起こらないという効果を奏する。
【図面の簡単な説明】
【図１】本発明の実施例１のガス給湯装置の三面図
【図２】同装置のＡ−Ａ線要部断面図
【図３】本発明の実施例２のガス給湯装置の三面図
【図４】同装置のＢ−Ｂ線要部断面図
【図５】本発明の実施例３のガス給湯装置の三面図
【図６】同装置のＣ−Ｃ線要部断面図
【図７】本発明の実施例４のガス給湯装置の三面図
【図８】同装置のＤ−Ｄ線要部断面図
【図９】本発明の実施例５のガス給湯装置の三面図
【図１０】同発明のＥ−Ｅ線要部断面図
【図１１】本発明の実施例６のガス給湯装置の三面図
【図１２】同装置のＦ−Ｆ線要部断面図
【図１３】本発明の実施例７のガス給湯装置の三面図
【図１４】本発明の実施例８のガス給湯装置の三面図
【図１５】従来のガス給湯装置の三面図
【図１６】同装置のＧ−Ｇ線要部断面図
【符号の説明】
２、１２、２２、３２、４２、５２、６２、７２  前カバー
３、１３、２３、３３、４３、５３、６３、７３  側面給気口
７、１７、２７、３７、４７、５７、６７、７７  下部給気口
８、１８、２８、３８  平行板
４８  垂直板
５８  くさび型段押し
６８  段押し（円弧断面形状）
７８  段押し（三角形状）
【図１】
0003817845.tif 000002
【図２】
0003817845.tif 000003
【図３】
0003817845.tif 000004
【図４】
0003817845.tif 000005
【図５】
0003817845.tif 000006
【図６】
0003817845.tif 000007
【図７】
0003817845.tif 000008
【図８】
0003817845.tif 000009
【図９】
0003817845.tif 000010
【図１０】
0003817845.tif 000011
【図１１】
0003817845.tif 000012
【図１２】
0003817845.tif 000013
【図１３】
0003817845.tif 000014
【図１４】
0003817845.tif 000015
【図１５】
0003817845.tif 000016
【図１６】
0003817845.tif 000017